(57)【要約】【課題】使用者の腰につけて使用する際に、害虫防除成分を短時間に使用者の頭部、足元に到達して使用初期から害虫を防除できるようにした送風式害虫防除装置とする。【解決手段】吸気口５と第１・第２排気口６，７を有する装置本体１内に薬剤保持体２とファン３とモータ４を設け、その第１・第２排気口６，７をファン３と対向した内側入口１０と装置本体１の外面１ａに開口した外側出口１１を連続した孔形状で、かつ上流側案内面１２と下流側案内面１３がファン３の回転方向に傾斜して、前述の薬剤保持体２が保持した害虫防除成分を含有した空気が第１・第２排気口６，７から勢いよく気中に排出されるようにした送風式害虫防除装置。【選択図】図１
2005204517.tif 000002
【特許請求の範囲】
【請求項１】
吸気口５と第１排気口６、第２排気口７を有する装置本体１と、
この装置本体１に設けた薬剤保持体２、ファン３、モータ４を備え、
前記薬剤保持体２は害虫防除成分を保持し、
前記モータ４でファン３を回転することで吸気口５より空気を吸い込み、その空気を薬剤保持体２に当てて第１排気口６、第２排気口７より害虫防除成分とともに気中に排出する送風式害虫防除装置において、
前記第１排気口６、第２排気口７は、半径方向に所定の長さで、かつファン３の回転方向に対して傾斜した孔形状で、装置本体１を使用者の身につけて使用する際に第１排気口６から上方向に空気を排出し、第２排気口７より下方向に空気を排出するようにしたことを特徴とする送風式害虫防除装置。
【請求項２】
第１排気口６、第２排気口７は、ファン３と対向した内側入口１０と装置本体１の外面１ａに開口した外側出口１１を連通する孔形状で、その内側入口１０の上流側入口開口縁１０ａと外側出口１１の上流側出口開口縁１１ａを連続する上流側案内面１２及び、内側入口１０の下流側入口開口縁１０ｂと外側出口１１の下流側出口開口縁１１ｂを連続する下流側案内面１３はファン３の回転方向に対して傾斜している請求項１記載の送風式害虫防除装置。
【請求項３】
装置本体１は、第１・第２排気口６，７とファン収容室２２を有する本体部２０の厚さ方向一側部に、吸気口５を有するカバー部２１を着脱自在に取付け、その本体部２０とカバー部２１の間にファン収容室２２に開口した薬剤収容室２３を有する形状で、
前記本体部２０に、そのカバー部２１と反対側の背面２０ａに開口したモータ収容室２４と電池収容室２６を形成し、
前記モータ収容室２４にモータ４を設けると共に、電池収容室２６に電池２７を設け、このモータ４と電池２７が本体部２０の厚さ方向に重なり合うことがないようにした請求項２記載の送風式害虫防除装置。
【請求項４】
装置本体１に、害虫防除成分とともに空気を気中に排出する第３排気口８を形成し、
この第３排気口８は、半径方向に所定の長さで、かつファン３の回転方向に対して傾斜した孔形状で、装置本体１を使用者の身につけて使用する際に、斜め上方向又は斜め下方向に空気を排出するようにした請求項１又は２又は３記載の送風式害虫防除装置。
【請求項５】
第３排気口８は、ファン３と対向した内側入口１０と装置本体１の外面１ａに開口した外側出口１１を連通する孔形状で、その内側入口１０の上流側入口開口縁１０ａと外側出口１１の上流側出口開口縁１１ａを連続する上流側案内面１２及び、内側入口１０の下流側入口開口縁１０ｂと外側出口１１の下流側出口開口縁１１ｂを連続する下流側案内面１３はファン３の回転方向に対して傾斜している請求項４記載の送風式害虫防除装置。
【請求項６】
装置本体１に、その装置本体１を使用者の身につけて使用する際に横方向に空気を排出する補助排気口９を形成し、上方向及び下方向を含めた全方向に空気を排出するようにした請求項１〜５いずれか１項記載の送風式害虫防除装置。
【請求項７】
補助排気口９は、第１・第２排気口６，７又は第１・第２・第３排気口６，７，８よりも空気流通抵抗が大きい請求項６記載の送風式害虫防除装置。
【請求項８】
補助排気口９は、ファン３と対向した内側入口１０と装置本体１の外面１ａに開口した外側出口１１を連通する孔形状で、その内側入口１０の上流側入口開口縁１０ａと外側出口１１の上流側出口開口縁１１ａを連続する上流側案内面１２及び、内側入口１０の下流側入口開口縁１０ｂと外側出口１１の下流側出口開口縁１１ｂを連続する下流側案内板１３がファン３の回転方向に傾斜した孔形状で、
この補助排気口９のファン３の回転方向の開口寸法は、第１・第２排気口６，７又は第１・第２・第３排気口６，７，８のファン３の回転方向の開口寸法よりも小さい請求項７記載の送風式害虫防除装置。
【発明の詳細な説明】
【技術分野】
【０００１】
本発明は、害虫防除成分を保持した薬剤保持体に空気を当て、空気とともに害虫防除成分を気中に放散する送風式害虫防除装置に関する。
【背景技術】
【０００２】
特許文献１に開示された送風式の害虫防除装置が知られている。
この害虫防除装置は、害虫防除成分を保持した薬剤保持体とファンとモータを装置本体（チャンバ）内にそれぞれ収納し、その装置本体は吸気口と排気口を有した形態で、前記モータでファンを回転することで吸気口から空気を吸い込み、その空気を薬剤保持体に当てて、害虫防除成分とともに排気口から気中に放出することで、害虫防除成分を気中に放散する。
【０００３】
前述した害虫防除装置は、使用者が身につけて屋外等で使用した際にも有効な害虫防除効果が得られるようにするために、装置本体に２つの排気口を上向き、下向きとして形成し、使用者が身につけて使用する際に、害虫防除成分を含んだ空気を上向きの排気口から上方向に排出され、かつ下向きの排気口から下方向に排出されるようにしている。
【０００４】
【特許文献１】特開２００１−１９７８５６号公報
【発明の開示】
【発明が解決しようとする課題】
【０００５】
前述した従来の害虫防除装置は、装置本体に上向きの排気口、下向きの排気口を形成し、使用者の腰につけて使用する際に害虫防除成分を含んだ空気を上方向、下方向にのみ排出することで、使用者の頭部、足元に害虫防除成分が到達するようにしているが、この従来の害虫防除装置のように、ただ単に排気口を上向き、下向きに形成したのみでは、使用者の頭部、足元まで害虫防除成分が到達するのに時間がかかり、使用初期から害虫を防除できない。
また、使用する屋外等の開放空間では、風の流れや使用者の動きによる気流発生などにより、排出される空気流が変動して目的とする方向に放散されず、害虫被害を受けることがある。
【０００６】
本発明は、前述の課題に鑑みなされたものであって、その目的は、排気口の形状を、空気を所定の方向に勢いよく排出できるようにして、使用者の腰につけて使用する際に、使用者の頭部、足元に害虫防除成分が短時間に到達し、使用初期から害虫を防除できるようにした送風式害虫防除装置を提供することである。
【課題を解決するための手段】
【０００７】
第１の発明は、吸気口５と第１排気口６、第２排気口７を有する装置本体１と、
この装置本体１に設けた薬剤保持体２、ファン３、モータ４を備え、
前記薬剤保持体２は害虫防除成分を保持し、
前記モータ４でファン３を回転することで吸気口５より空気を吸い込み、その空気を薬剤保持体２に当てて第１排気口６、第２排気口７より害虫防除成分とともに気中に排出する送風式害虫防除装置において、
前記第１排気口６、第２排気口７は、半径方向に所定の長さで、かつファン３の回転方向に対して傾斜した孔形状で、装置本体１を使用者の身につけて使用する際に第１排気口６から上方向に空気を排出し、第２排気口７より下方向に空気を排出するようにしたことを特徴とする送風式害虫防除装置である。
【０００８】
第２の発明は、第１の発明において第１排気口６、第２排気口７は、ファン３と対向した内側入口１０と装置本体１の外面１ａに開口した外側出口１１を連通する孔形状で、その内側入口１０の上流側入口開口縁１０ａと外側出口１１の上流側出口開口縁１１ａを連続する上流側案内面１２及び、内側入口１０の下流側入口開口縁１０ｂと外側出口１１の下流側出口開口縁１１ｂを連続する下流側案内面１３はファン３の回転方向に対して傾斜している送風式害虫防除装置である。
【０００９】
第３の発明は、第２の発明において装置本体１は、第１・第２排気口６，７とファン収容室２２を有する本体部２０の厚さ方向一側部に、吸気口５を有するカバー部２１を着脱自在に取付け、その本体部２０とカバー部２１の間にファン収容室２２に開口した薬剤収容室２３を有する形状で、
前記本体部２０に、そのカバー部２１と反対側の背面２０ａに開口したモータ収容室２４と電池収容室２６を形成し、
前記モータ収容室２４にモータ４を設けると共に、電池収容室２６に電池２７を設け、このモータ４と電池２７が本体部２０の厚さ方向に重なり合うことがないようにした送風式害虫防除装置である。
【００１０】
第４の発明は、第１又は第２又は第３の発明において、装置本体１に、害虫防除成分とともに空気を気中に放出する第３排気口８を形成し、
この第３排気口８は、半径方向に所定の長さで、かつファン３の回転方向に対して傾斜した孔形状で、装置本体１を使用者の身につけて使用する際に、斜め上方向又は斜め下方向に空気を排出するようにした送風式害虫防除装置である。
【００１１】
第５の発明は、第４の発明において、第３排気口８は、ファン３と対向した内側入口１０と装置本体１の外面１ａに開口した外側出口１１を連通する孔形状で、その内側入口１０の上流側入口開口縁１０ａと外側出口１１の上流側出口開口縁１１ａを連続する上流側案内面１２及び、内側入口１０の下流側入口開口縁１０ｂと外側出口１１の下流側出口開口縁１１ｂを連続する下流側案内面１３はファン３の回転方向に対して傾斜している送風式害虫防除装置である。
【００１２】
第６の発明は、第１〜第５いずれか１つの発明において、装置本体１に、その装置本体１を使用者の身につけて使用する際に横方向に空気を排出する補助排気口９を形成し、上方向及び下方向を含めた全方向に空気を排出するようにした送風式害虫防除装置である。
【００１３】
第７の発明は、第６の発明において、補助排気口８は、第１・第２排気口６，７又は第１・第２・第３排気口６，７，８よりも空気流通抵抗が大きい送風式害虫防除装置である。
【００１４】
第８の発明は、第７の発明において補助排気口８は、ファン３と対向した内側入口１０と装置本体１の外面１ａに開口した外側出口１１を連通する孔形状で、その内側入口１０の上流側入口開口縁１０ａと外側出口１１の上流側出口開口縁１１ａを連続する上流側案内面１２及び、内側入口１０の下流側入口開口縁１０ｂと外側出口１１の下流側出口開口縁１１ｂを連続する下流側案内板１３がファン３の回転方向に傾斜した孔形状で、
この補助排気口８のファン３の回転方向の開口寸法は、第１・第２排気口６，７又は第１・第２・第３排気口６，７，８のファン３の回転方向の開口寸法よりも小さい送風式害虫防除装置である。
【発明の効果】
【００１５】
請求項１に係る発明によれば、モータ４によってファン３を回転することで害虫防除成分を含有した空気が第１・第２排気口６，７から勢いよく気中に排出されるので、装置本体１を使用者の腰につけて使用する際に、害虫防除成分を含有した空気が使用者の頭部、足元に向けて勢いよく排出され、害虫防除成分が使用者の頭部、足元に短時間に到達する。
よって、使用者が腰につけて使用する際に、使用初期から害虫を防除できる。
【００１６】
請求項２に係る発明によれば、第１・第２排気口６，７の上流側案内面１２、下流側案内面１３がファン３の回転方向に傾斜しているので、害虫防除成分を含有した空気を勢いよく、しかもスムーズに排出できる。
【００１７】
請求項３に係る発明によれば、カバー部２１を外すことで薬剤保持体２を交換できる。
また、モータ４と電池２７が本体部２０の厚さ方向に重なり合うことがないので、装置本体１の厚さを小さくできる。
【００１８】
請求項４に係る発明によれば、第３排気口８から害虫防除成分を含有した空気を斜め上方向又は斜め下方向に排出するので、使用者の頭部又は足元のいずれか一方に他方よりも多量の害虫防除成分を放出できる。
【００１９】
請求項５に係る発明によれば、第３排気口８から害虫防除成分を含有した空気を勢いよく、しかもスムーズに排出できる。
【００２０】
請求項６に係る発明によれば、使用者の身につけて使用する際に、その使用者の全体に害虫防除成分を放出できる。
【００２１】
請求項７に係る発明によれば、装置本体１を使用者の腰につけて使用する際に、補助排気口９から腰の横方向に害虫防除成分を含有した空気を勢いが弱く排出されるので、使用者の腰の横方向の害虫防除成分を十分なものにできるし、頭部、足元へも十分な害虫防除成分を放出できる。
【００２２】
請求項８に係る発明によれば、第１・第２排気口６，７、又は第１・第２・第３排気口６，７，８からの空気の排出を確実に勢いよくできると共に、補助排気口９からの空気の排出を確実に勢いが弱いものにできる。
【発明を実施するための最良の形態】
【００２３】
図１、図２、図３に示すように、装置本体１内に薬剤保持体２とファン３とモータ４が収容してあり、そのモータ４でファン３を回転すると吸気口５から装置本体１内に空気が吸い込みされ、その空気は薬剤保持体２に当たり、その薬剤保持体２が保持した害虫防除成分とともに第１排気口６、第２排気口７より装置本体１外部に排出される。
前記装置本体１を使用者の身につけて使用する際に、その第１排気口６から害虫防除成分を含む空気を上方向に排出し、かつ第２排気口７から害虫防除成分を含む空気を下方向に排出する。
【００２４】
前記第１・第２排気口６，７は図２に示すように、ファン３と対向した内側入口１０と装置本体１の外面１ａに開口した外側出口１１を連通する半径方向に所定の長さの孔形状で、その内側入口１０の上流側入口開口縁１０ａと外側出口１１の上流側出口開口縁１１ａが上流側案内面１２で連続し、内側入口１０の下流側入口開口縁１０ｂと外側出口１１の下流側出口開口縁１１ｂが下流側案内面１３で連続している。
前記上流側案内面１２は、上流側入口開口縁１０ａよりも上流側出口開口縁１１ａが下流側となるように傾斜、好ましくは円弧状となっている。
前記下流側案内面１３は、下流側入口開口縁１０ｂよりも下流側出口開口縁１１ｂが下流側となるように傾斜している。
前記第１排気口６（上流側の排気口）の下流側入口開口縁１０ｂと第２排気口７（下流側の排気口）の上流側入口開口縁１０ａとは、近接しているほうが好ましく、より好ましくは図示のように同じ位置にあり同一である。
ここで、上流側とはファン３の回転方向に対して上流側で、下流側とはファン３の回転方向に対して下流側である。
また、傾斜しているとは放射状に対して半径方向に斜めになっている状態である。
つまり、第１・第２排気口６，７はファン回転方向に対して傾斜した孔形状である。
【００２５】
このようであるから、ファン３の回転によって第１・第２排気口６，７から矢印ａ，ｂで示すように空気が勢いよく排出される。
よって、装置本体１を使用者の腰につけて使用する際に、害虫防除成分を含有した空気が使用者の頭部、足元に向けて勢いよく排出され、害虫防除成分が頭部、足元に短時間に到達するので、使用初期から害虫を防除できる。
【００２６】
次に、各部材の具体形状を説明する。
前記装置本体１は本体部２０にカバー部２１を着脱自在に取付けてファン収容室２２と薬剤収容室２３とモータ収容室２４を有する。
前記ファン収容室２２は円形で、ファン３が回転自在に設けられ、そのファン収容室２２の円形外周面２２ａに第１・第２排気口６，７（内側入口１０）がそれぞれ開口している。
前記薬剤収容室２３はファン収容室２２と連通し、かつカバー部２１と対向し、このカバー部２１に吸気口５が形成してある。
前記モータ収容室２４は本体部２０の背面２０ａに開口し、かつ前記ファン収容室２２とは区画され、モータ４の出力軸４ａが孔２５からファン収容室２２に突出し、かつファン３と連結してある。
【００２７】
前記本体部２０には電池収容部２６がファン収容室２２に開口しないと共に、モータ収容室２４と厚さ方向に重なり合うことがないように形成してある。例えば、モータ収容室２４と連続した凹陥部が背面２０ａに開口して形成されて電池収容部２６としてある。
この電池収容部２６に電池２７が着脱自在に収容してある。
この電池２７でモータ４が駆動される。
前述のようであるから、電池２７とモータ４が装置本体１の厚さ方向に重なり合うことがないから、装置本体１の厚さＨを小さくできる。
なお、モータ収容室２４と電池収容部２６（凹陥部）は本体部２０の背面２０ａに開口しているので、キャップを設けて閉塞するようにしても良い。
【００２８】
前記装置本体１（本体部２０）にはフック係止部２８と嵌合凹部２９が設けてある。
図１に示すように、前記フック係止部２８に吊り治具３０を取付け、この吊り治具３０を使用者のベルトなどに係止して使用する。
前記吊り治具３０は、図４に示すように前記フック係止部２８に係止するフック３１と、前記嵌合凹部２９に嵌合する嵌合部３２を有する。
そして、図１に仮想線で示すように嵌合部３２を嵌合凹部２９に嵌合し、フック３１をテーブル面などの載置面に接して装置本体１を斜めの姿勢として立てかけて使用することもできる。
なお、本体部２０の背面２０ａを載置面に置いて使用することもできる。
【００２９】
前記薬剤保持体２は図５に示すように、一側面が開口した円形容器４０と、この円形容器４０内に設けた円形の薬剤含浸体４１と、前記円形容器４０内に嵌合した円形の蓋４２を備え、円形容器４０、蓋４２は通気部４０ａ，４２ａを有する。
前記薬剤含浸体４１は、シート状の薬剤含浸体に害虫防除成分を含浸させた円板形状である。
前記円形容器４０が本体部２０の前面２０ｂに形成した円形凹陥部４３に嵌合して取付けられる。
【００３０】
前述のように、薬剤保持体２は、シート状の薬剤含浸体に害虫防除成分を含浸した薬剤含浸体４１を用いているから、厚さが薄く、これによって装置本体１の厚さＨを小さくできる。
【００３１】
次に、第１・第２排気口６，７を詳細に説明する。
図２において、ファン３の外周面３ａと上流側入口開口縁１０ａとの間の距離Ａは０．１ｍｍ〜５ｍｍの範囲が好ましい。
ファン３の中心３ｂと上流側入口開口縁１０ａとの間の距離Ｒと、ファン３の中心３ｂと上流側出口開口縁１１ａとの間の距離ｒとの関係は、Ｒ＝１．０５×ｒ〜２．５×ｒが好ましい。
このようにすることで、ファン３の回転による風を第１・第２排気口６，７（つまり流路）内で効率良く収束し、風力を余り損失することなく害虫防除成分を含有した空気を勢いよく排出することができる。
【００３２】
すなわち、前記距離ＡはＡ＝０に限りなく近づくことが望ましいが、Ａ＜０．１ｍｍになると構成部材の精度を管理することが難しくなり、ファン３が上流側入口開口縁１０ａに干渉したり、部材を高精度で管理する必要があるため、管理する費用が増大する。
また、Ａ＞５ｍｍとなると、ファン３の風が第１・第２排気口６，７内に送り込まれず、距離Ａの部分を通過し易くなり、風がファン収容室２２内を循環し、風力を損失し効率が悪くなる。
また、Ｒ＜１．０５×ｒの場合、第１・第２排気口６，７の幅が狭くなりすぎ、ファン３の風が第１・第２排気口６，７を通過する際に圧力損失を起こす。
また、Ｒ＞２．５×ｒの場合、第１・第２排気口６，７の幅が急激に広くなりすぎ、ファン３の風が急激に拡大され損失を起こし効率が悪くなる。
第１・第２排気口６，７の幅とは内側入口１０と外側出口１１との間の径方向の長さである。
【００３３】
前述の説明では、第１・第２排気口６，７を同一の空気流通抵抗として同一の風量が排出され、身体の頭部と足元に害虫防除成分が同一量放出されるようにしたが、使用場所などによっては頭部と足元の一方が他方よりも多量の害虫防除成分が放出されることが好ましいことがある。
この場合には、第１・第２排気口６，７の一方の空気流通抵抗を他方よりも小さくして多量の害虫防除成分を含有した空気を外気に放出するようにしたり、第３排気口を形成し、この第３排気口から上方向又は下方向に害虫防除成分を含有した空気を排出するようにすれば良い。
【００３４】
例えば、図６に示すように、第１・第２・第３排気口６，７，８をほぼ１２０度間隔で形成し、第１排気口６から矢印ａで示すように上方向に空気を排出し、第２排気口７から矢印ｂで示すように下方向に空気を排出し、第３排気口８から矢印ｃで示すように斜め上方に向けて空気を排出するように構成する。
このようにすれば、上方向に多量の害虫防除成分を放出できる。
なお、下方向に多量の害虫防除成分を放出する場合には、第３排気口８から斜め下方向に空気を排出するようにすれば良い。例えば、図６を上下反対にした形態とする。
【００３５】
前述の説明では、第１・第２排気口６，７又は第１・第２・第３排気口６，７，８のみを設けたが、装置本体１を腰につけて使用する際に、その腰の横方向における害虫防除成分が不足の場合には、腰の横方向に空気を排出する補助排気口を形成して上方向及び下方向を含めた全方向に空気を排出するようにしても良い。
例えば、図７に示すように右横向きと左横向きの補助排気口９を形成する。
この補助排気口９は、前述の第１・第２排気口６，７と略同一形状で、その空気流通抵抗が第１・第２排気口６，７よりも大きい。例えばファン回転方向の開口寸法が小さく、排出される空気量が第１・第２排気口６，７よりも少なく、かつ勢いが弱い。
つまり、上流側入口開口縁１０ａと下流側入口開口縁１０ｂとのファン回転方向の寸法、上流側出口開口縁１１ａと下流側出口開口縁１１ｂとのファン回転方向の寸法が、第１・第２排気口６，７よりも補助排気口９が小さい値である。
【００３６】
このようにすることで、矢印ｄ，ｅで示すように右横方向と左横方向に害虫防除成分を含有した空気が排出されるから、使用者の腰の横方向の害虫防除成分を十分なものにできるし、頭部、足元へも十分な害虫防除成分を放出できる。
【００３７】
前記補助排気口９は左右の一方のみでも良いし、左右方向に２つ以上形成しても良いし、左右一方にのみ２つ形成しても良い。
つまり、補助排気口９の数は限定されるものではない。
なお、排気口の総数としては、前記上下方向２箇所の２個の排気口（第１・第２排気口６，７）、あるいは３方向３箇所の３個の排気口（第１・第２・第３排気口６，７，８）と補助排気口９とを合わせ、多くとも６個までが好ましく、それ以上多くしても上下方向の空気の勢いが弱まる。また、腰の横方向の害虫防除効果は６個以内で十分である。
【００３８】
前記第１・第２・第３排気口６，７，８、補助排気口９からの異物の混入を防ぐためなどに、各排気口に整流板を複数設置しても良く、整流板は風の流れに対し水平に配置することが望ましく、整流板同士の間隔は１〜１０ｍｍが望ましい。
整流板断面形状は、長方形、楕円形、水滴形など風の流れの抵抗にならない形状が良い。
【００３９】
本発明において使用される害虫防除成分としては、殺ダニ剤、害虫あるいは害獣忌避剤、殺虫剤または害虫の成長制御剤、吸血行動阻止剤などで、揮散性のものが用いられる。
そして、殺虫を目的として使用する場合、従来より用いられている各種揮散性殺虫剤を用いることができ、ピレスロイド系殺虫剤、カーバメート系殺虫剤、有機リン系殺虫剤等を挙げることができる。一般に安全性が高いことからピレスロイド系殺虫剤が好適に用いられる。
さらに、微量で効力を発揮する高活性のメトフルトリン、トランスフルトリン、エムペントリン、テラレスリンが薬剤含浸体を薄く、また小さくできることからより好ましい。
【００４０】
本発明に使用するシート状の薬剤含浸体としては、通気性の大きい紙、布、織物、不織布やネットなどが例示される。また、載置状態の安定性を考えると、シート状の薬剤含浸体を容器、蓋で堅持したり、あるいはシート状の薬剤含浸体の外周など一部箇所を樹脂等でコートし堅持して用いることが望ましい。前記容器、蓋の材質としてはポリエチレンテレフタレート、ポリプロピレン、ポリエチレン、ポリアセタール、ナイロン、アクリル、ＡＢＳ、紙、ＡＳ、金属等が挙げられる。さらに、携帯性を考えると、その厚みを２〜５ｍｍ、面積を７００〜３０００ｍｍ２と薄く小さくすることが好ましい。
【００４１】
特に、不織布の目付け１０〜１００ｇ／ｍ２のものが好ましく、２０〜５０ｇ／ｍ２のものが更に好ましい。目付けが１００ｇ／ｍ２を超えると、薬剤含浸体の空気抵抗が大きくなり過ぎ、ファンによる風が薬剤を通過できなくなり、薬剤を拡散することができなくなる。逆に目付けが１０ｇ／ｍ２より下になると、薬剤含浸体に保持させることができる薬剤量が減り製造性が悪くなり、また薬量不足になる恐れがある。
【００４２】
ファンとしては、例えばシロッコファン、ラジアルファン、ターボファン等の遠心ファンが挙げられる。
ファンは５００〜４０００ｒｐｍで回転させることが好ましく、７００〜３０００ｒｐｍで回転させることが更に好ましい。
遠心式ファンの径は２０〜１００ｍｍが好ましく、３０〜６０ｍｍが更に好ましい。高さは２〜５０ｍｍが好ましく、５〜２０ｍｍが更に好ましい。
特に、シロッコファン、ラジアルファンとしては、羽根枚数が１０〜５０枚のものが良い。
【００４３】
ファンの駆動電源としては、アルカリ単５電池、アルカリ単４電池、アルカリ単３電池、アルカリ単２電池、アルカリ単１電池、マンガン単５電池、マンガン単４電池、マンガン単３電池、マンガン単２電池、マンガン単１電池、角電池、リチウム電池、リチウムボタン電池等の電池を単一で、もしくは複数を直列および並列に組み合わせても良く、また充電式の２次電池を使用しても良く、ＡＣアダプターなどを用いて家庭用電源（ＡＣ１００Ｖ）で使用できるようにしても良い。
【００４４】
装置本体１を取付けるための機構は吊り治具に限ることはなく、ベルトクリップやストラップを通すためのフック、穴、バンドを通し、足や腰、腕などに装着するバンド通し穴などでも良い。
また、装置本体１には、通電を入り切りできるスイッチを具備することも可能で、通電中を表示するためにＬＥＤ、ネオンランプ、液晶などを用いたり、ファン自体を外部から視認可能とし、ファンの回転によって通電状態を判別しても良い。
また、電池と薬剤保持体の終了時期が同じになるように設定しても良く、その際には、薬剤保持体と電池を一体として取替えカートリッジとし、利便性を向上させることも可能である。
逆に、電池と薬剤保持体の終点を同じにしない場合は、薬剤保持体と電池の終点表示を別々に表示することが望ましい。
【００４５】
前述の実施の形態では、装置本体１（本体部２０）におけるファン収容室２２を構成する外周部分を厚肉とし、排気口を形成したがこれに限ることはない。
例えば、装置本体１のファン収容室２２の外周部分に複数の案内羽根を周方向に間隔を置いて設け、周方向に隣接した案内羽根間で排気口を形成するようにしても良い。
【００４６】
電池収容室２６は装置本体１（本体部２０）の側面部分に形成しても良い。
【００４７】
以上の説明においては使用者とは、主として人間を対象としたが、犬などのペット、牛などの家畜への使用も可能である。この場合には、例えば頭から尾、又は顔から腹や後足などの前後方向が害虫防除成分を排出する目的方向である。
【図面の簡単な説明】
【００４８】
【図１】本発明の第１の実施の形態を示す縦断面図である。
【図２】図１のＡ−Ａ断面図である。
【図３】図１の右側面図である。
【図４】吊り治具の斜視図である。
【図５】薬剤保持体の分解斜視図である。
【図６】第２の実施の形態を示す排気口部分の断面図である。
【図７】第３の実施の形態を示す排気口部分の断面図である。
【符号の説明】
【００４９】
１…装置本体、２…薬剤保持体、３…ファン、４…モータ、５…吸気口、６…第１排気口、７…第２排気口、８…第３排気口、９…補助排気口、１０…内側入口、１１…外側出口、１２…上流側案内面、１３…下流側案内面、２０…本体部、２１…カバー部、２２…ファン収容室、２３…薬剤収容室、２４…モータ収容室、２６…電池収容室、２７…電池。
【図１】
2005204517.tif 000003
【図２】
2005204517.tif 000004
【図３】
2005204517.tif 000005
【図４】
2005204517.tif 000006
【図５】
2005204517.tif 000007
【図６】
2005204517.tif 000008
【図７】
2005204517.tif 000009